(57)【要約】【課題】並設された複数のスロットマシンやパチンコ等の各種遊技台の間に配設された既存の収納ボックス等に容易に装着することができ、汎用性に優れ、清掃やメンテナンスの際などに容易に取外すことができ実用性に優れ、周囲からの視界を完全に遮ることがなく視認性を確保でき、不正行為を防止でき信頼性に優れる着脱式仕切り板の提供。【解決手段】（ａ）並設された複数のスロットマシンやパチンコ等の各種遊技台の間に配設された既存の収納ボックスに着脱自在に保持される棚板固定部と、棚板固定部に延設され収納ボックスの開口部から前面に突出する突出部と、を有する棚板部と、（ｂ）突出部の一側部に配設された仕切り部と、を備えている。【選択図】図１
0003113170.tif 000002
【実用新案登録請求の範囲】
【請求項１】
（ａ）並設された複数のスロットマシンやパチンコ等の各種遊技台の間に配設された既存の収納ボックスに着脱自在に保持される棚板固定部と、前記棚板固定部に延設され前記収納ボックスの開口部から前面に突出する突出部と、を有する棚板部と、（ｂ）前記突出部の一側部に配設された仕切り部と、を備えていることを特徴とする着脱式仕切り板。
【請求項２】
前記棚板部が、前記棚板固定部の裏面に形設された嵌合凸部又は嵌合凹部の内の少なくともいずれか一方を備えていることを特徴とする請求項１に記載の着脱式仕切り板。
【請求項３】
少なくとも前記仕切り部の端面に形成された蛍光面を備えていることを特徴とする請求項１又は２に記載の着脱式仕切り板。
【請求項４】
（ａ）請求項１乃至３の内いずれか１項に記載の着脱式仕切り板と、（ｂ）並設された複数のスロットマシンやパチンコ等の各種遊技台の間に配設される箱状のボックス本体と、前記ボックス本体に配設され前記着脱式仕切り板の前記棚板固定部を着脱自在に保持する棚板固定部保持部と、を有する収納ボックスと、を備えていることを特徴とする仕切り板付き収納ボックス。
【請求項５】
前記棚板固定部保持部が、前記ボックス本体の両側板の間に渡設され前記棚板固定部の裏面に当接する当接支持部と、前記嵌合凸部又は前記嵌合凹部が嵌合される嵌合係止部と、を備えていることを特徴とする請求項４に記載の仕切り板付き収納ボックス。
【請求項６】
前記ボックス本体の底板及び天板に前記着脱式仕切り板の前記仕切り部を挟持する仕切り溝を備えていることを特徴とする請求項４又は５に記載の仕切り板付き収納ボックス。
【考案の詳細な説明】
【技術分野】
【０００１】
本考案は、並設された複数のスロットマシンやパチンコ等の各種遊技台の間を仕切るために配設される着脱式仕切り板及び仕切り板付き収納ボックスに関する。
【背景技術】
【０００２】
遊技場において、スロットマシンやパチンコ等の各種遊技台は、複数隣接して並設されている。遊技者が周りの影響を受けずに安心、集中して遊技ができるように、隣接する遊技台の間を仕切ることが提案されている。
例えば（特許文献１）には、「隣り合う遊技台の間に配置される仕切り部材が、遊技台の前面側に開口した仕切り板を収納する仕切り板収納ケースと、この仕切り板収納ケース内に収納されるとともに前記開口から出入りする伸縮自在の複数の仕切り板とからなることを特徴とする遊技台の仕切り部材。」が開示されている。
（特許文献２）には、「複数の遊技機を並設して構成する遊技機島において、並設された各々の遊技機の間に、隣接する遊技機の見通しを妨げる仕切り板を設けたことを特徴とする遊技機島。」が開示されている。
【特許文献１】実用新案登録第３１０６０８７号公報
【特許文献２】特許第２７５３５７１号公報
【考案の開示】
【考案が解決しようとする課題】
【０００３】
しかしながら上記従来の技術では、以下のような課題を有していた。
（１）（特許文献１）の仕切り部材は、複数の仕切り板を伸縮させて仕切り板収納ケースから引出したり、収納したりしなければならず、取扱いが煩雑で使用性に欠けるという課題を有していた。
また、仕切り板を仕切り板収納ケースに収納するためには、仕切り板に棚等を設けることができず、獲得したメダルやパチンコ玉を入れる箱や飲み物、バック等の荷物を置くためのスペースがなく実用性、機能性に欠けるという課題を有していた。
（２）（特許文献２）の遊技機島は、並設された各々の遊技機の間に設けた仕切り板が、隣接する遊技機の見通しを妨げるので、店員からの見通しも悪く、不正行為が行われる可能性があるという課題を有していた。
また、仕切り板が固定されたままで着脱できないため、遊技機の清掃やメンテナンス時の邪魔となり、特に、遊技機前面の開閉が困難でメンテンス性、実用性に欠けるという課題を有していた。
【０００４】
本考案は上記従来の課題を解決するもので、並設された複数のスロットマシンやパチンコ等の各種遊技台の間に配設された既存の収納ボックス等に容易に装着することができ、汎用性に優れ、清掃やメンテナンスの際などに容易に取外すことができ実用性に優れ、周囲からの視界を完全に遮ることがなく防犯上の視認性を確保できると共に、不正行為を防止でき信頼性に優れる着脱式仕切り板の提供、及び獲得したメダルやパチンコ玉を入れる箱や飲み物、バック等の荷物を置くためのスペースを確保することができ実用性、機能性に優れると共に、棚板上に載置した荷物を着脱式仕切り板でガードして落下等を防止できる信頼性に優れる仕切り板付き収納ボックスの提供を目的とする。
【課題を解決するための手段】
【０００５】
上記課題を解決するために本考案の着脱式仕切り板及び仕切り板付き収納ボックスは、以下の構成を有している。
本考案の請求項１に記載の着脱式仕切り板は、（ａ）並設された複数のスロットマシンやパチンコ等の各種遊技台の間に配設された既存の収納ボックスに着脱自在に保持される棚板固定部と、前記棚板固定部に延設され前記収納ボックスの開口部から前面に突出する突出部と、を有する棚板部と、（ｂ）前記突出部の一側部に配設された仕切り部と、を備えている構成を有している。
この構成により、以下のような作用を有する。
（１）棚板部に棚板固定部を有するので、別に固定手段を用意する必要や特別な工具等を使用する必要がなく、既存の収納ボックスに容易に嵌め込み安定に固定できると共に、着脱することができる。
（２）棚板部を有するので、遊技者が獲得したメダルやパチンコ玉を入れる箱や飲み物、バック等の荷物を置くことができる。
（３）棚板部に棚板固定部を有するので、メダルやパチンコ玉等が入った箱等の重量のある荷物でも棚板部で確実に支持することができる。
（４）棚板部が棚板固定部に延設され収納ボックスの開口部から前面に突出する突出部を有するので、棚板部の面積を拡大することができると共に、突出部に載置した荷物等を手に取り易く使用性に優れる。
（５）突出部の一側部に仕切り部が配設されているので、棚板部に載置した荷物を仕切り部でガードすると共に、落下等を防止できる。
（６）仕切り部を有することにより、隣接する遊技台を使用する遊技者等から覗かれるのを防止でき、落着いて遊技に集中することができる。
（７）突出部の一側部に仕切り部を配設することにより、棚板部に載置した荷物等を隣接する遊技台を使用する遊技者等から保護することができ安全性に優れる。
（８）棚板部が収納ボックスに着脱自在に保持される棚板固定部を有するので、清掃やメンテナンスの際などに容易に取外すことができ実用性に優れる。
【０００６】
ここで、棚板固定部は既存の収納ボックスのボックス本体を形成する側板や背板或いはボックス本体に配設された棚板等に着脱自在に固定できるものであればよく、収納ボックスの形態に応じて適宜選択できる。既存の収納ボックスが棚板を備えている場合には、棚板固定部をコ字形に形成し棚板を上下から挟むようにすればよい。ボックス本体の側板に棚板を載置するための凸状の棚板固定部保持部が形設されている場合には、棚板固定部の裏面に嵌合凹部を形成し棚板固定部保持部に係止するようにすればよい。ボックス本体の側板に溝状や断面コ字形のレール状に形設された棚板固定部保持部を備えている場合には、平板状の棚板固定部をスライドさせるようにして棚板固定部保持部に嵌合させるだけでよい。
また、棚板固定部の側部や後端部に直交し、ボックス本体の側板や背板に当接する当接部を設けてもよい。棚板固定部の側部に当接部を形設した場合、仕切り部や突出部等に着脱式仕切り板を左右方向に回転させるような外力が加わった際に、当接部がボックス本体の側板に当接して棚板部の傾倒を防止して荷物の落下等を防ぐことでき、着脱式仕切り板の固定安定性に優れる。また、棚板固定部の後端部に当接部を形設した場合、仕切り部や突出部等に着脱式仕切り板を前後方向に回転させるような外力が加わった際に、当接部がボックス本体の背板に当接して棚板部の傾倒を防止して荷物の落下等を防ぐことでき、着脱式仕切り板の固定安定性に優れる。特に、当接部が棚板固定部の後端部の上面側に突設されている場合は、棚板部の突出部側が上方に浮き上がるように傾倒するのを防止でき、当接部が棚板固定部の後端部の下面側に垂設されている場合は、棚板部の棚板固定部側が上方に浮き上がるように傾倒するのを防止できる。尚、棚板部は任意の高さに任意の数だけ配設することができる。
【０００７】
仕切り部は突出部の左右いずれかの側部に配設してもよい。特に、仕切り部を突出部の左側に配設した場合、遊技中で右手が塞がっていても左手で棚板部に載置した荷物等を手に取ることができるので、使用性に優れ好ましい。
仕切り部の高さ方向の長さは収納ボックスの高さに関わらず任意の長さに設定できる。
仕切り部の下端が収納ボックスのボックス本体を形成する底板の上面或いは収納ボックスを固定する外枠の底部上面に当接するようにした場合、棚板部に加わる荷重の一部を仕切り部で支えることができると共に、着脱式仕切り板全体が前方に傾倒するのを防止でき信頼性に優れる。
また、仕切り部を収納ボックスの高さに合わせて形成する場合、仕切り部の上端側若しくは下端側の少なくとも一方に、ボックス本体の天板や底板に当接して係合する突起状や片状の係止部を形成してもよい。これにより、着脱式仕切り板全体が前方に傾倒するのを防止でき固定の安定性に優れる。尚、仕切り部は棚板部より上方のみに設けてもよい。
仕切り部の材質としては、メタクリル樹脂等の硬質の合成樹脂が好適に用いられる。仕切り部は透明又は半透明としてある程度の視界を確保することが好ましい。仕切り部を不透明にして完全に周囲からの視界を遮断した場合、不正行為が行われる可能性があるためである。尚、仕切り部は無色透明・半透明でもよいし、着色透明・半透明にしてもよい。
【０００８】
突出部や仕切り部の隅部を傾斜状や円弧状等に面取りしたり、端面に合成ゴム等の弾性を有する緩衝材を被着したりすることが好ましい。遊技者が誤って突出部や仕切り部にぶつかったとしても怪我等をすることがなく安全性に優れるためである。
仕切り部上端の収納ボックス側の隅部には切り欠き部を形成することが好ましい。仕切り部の下端側を支点として着脱式仕切り板全体を回転させるようにして着脱する際に、収納ボックスの底板や天板に仕切り部が引っ掛ることがなく、着脱作業が容易で取扱い性に優れるためである。また、ボックス本体の側板等に形設された凸状や凹状の棚板固定部保持部に、棚板固定部の裏面に形設された嵌合凹部や嵌合凸部を係止して固定する場合等のように、着脱時に着脱式仕切り板全体を上下方向に移動させて作業を行う際に、仕切り部の上端が収納ボックスの天板に干渉することがなく、簡便かつ確実に着脱作業を行うことができ使用性、実用性に優れる。
着脱式仕切り板には棚板部以外に補助棚を設けてもよい。仕切り部の高さ方向の任意の位置に１以上の補助棚を配設することにより、荷物などの設置スペースを拡大することができ、収納ボックスを有効利用することができる。
【０００９】
請求項２に記載の考案は、請求項１に記載の着脱式仕切り板であって、前記棚板部が、前記棚板固定部の裏面に形設された嵌合凸部又は嵌合凹部の内の少なくともいずれか一方を備えている構成を有している。
この構成により、請求項１の作用に加え、以下のような作用を有する。
（１）棚板部が、棚板固定部の裏面に形設された嵌合凸部又は嵌合凹部の内の少なくともいずれか一方を有するので、収納ボックスに形設された棚板固定部保持部に嵌合凸部又は嵌合凹部を嵌合させるだけで棚板部を確実に保持することができ、着脱式仕切り板を固定することができる。
【００１０】
ここで、嵌合凸部や嵌合凹部の数は適宜選択できる。棚板固定部保持部は前述したようにボックス本体の側板や背板に形設することができる。棚板固定部保持部に凹状や凸状或いは孔状に形成された嵌合係止部を備えることにより、棚板固定部の抜けを防止でき、着脱式仕切り板を強固に固定することができる。
【００１１】
請求項３に記載の考案は、請求項１又は２に記載の着脱式仕切り板であって、少なくとも前記仕切り部の端面に形成された蛍光面を備えている構成を有している。
この構成により、請求項１又は２の作用に加え、以下のような作用を有する。
（１）少なくとも仕切り部の端面に形成された蛍光面を有することにより、仕切り部の視認性を向上させることができるので、遊技者が誤って仕切り部に接触するのを防止でき、遊技者の怪我や仕切り部の破損等の発生を低減できる。
【００１２】
ここで、蛍光面は仕切り部の端面に蛍光塗料を塗布したり、蛍光テープを貼着したりして形成できる。蛍光面は仕切り部の端面の全周に渡って形成してもよいし、隅部等に部分的に形成してもよい。また、蛍光面は棚板部の端面にも仕切り部と同様に形成することができる。
【００１３】
本考案の請求項４に記載の仕切り板付き収納ボックスは、（ａ）請求項１乃至３の内いずれか１項に記載の着脱式仕切り板と、（ｂ）並設された複数のスロットマシンやパチンコ等の各種遊技台の間に配設される箱状のボックス本体と、前記ボックス本体に配設され前記着脱式仕切り板の前記棚板固定部を着脱自在に保持する棚板固定部保持部と、を有する収納ボックスと、を備えている構成を有している。
この構成により、以下のような作用を有する。
（１）収納ボックスのボックス本体に着脱式仕切り板の棚板固定部を着脱自在に保持する棚板固定部保持部が配設されているので、収納ボックスに容易に着脱式仕切り板を着脱することができる。
（２）着脱式仕切り板を有することにより、収納ボックスに収納した荷物を隣接する遊技台を使用する遊技者等からガードすることができると共に、顔や荷物等を直視されるのを防止できるので、落着いて遊技に集中することができる。
（３）棚板固定部保持部により着脱式仕切り板を着脱自在に保持できるので、清掃やメンテナンスの際などに容易に着脱式仕切り板を取外すことができ実用性に優れる。
【００１４】
ここで、収納ボックスのボックス本体としては、木製や合成樹脂製のもの等が好適に用いられる。また、ボックス本体及び棚板固定部保持部の構成は前述のものと同様である。尚、ボックス本体には着脱式仕切り板の棚板部以外にも棚板を設けることができる。
【００１５】
請求項５に記載の考案は、請求項４に記載の仕切り板付き収納ボックスであって、前記棚板固定部保持部が、前記ボックス本体の両側板の間に渡設され前記棚板固定部の裏面に当接する当接支持部と、前記嵌合凸部又は前記嵌合凹部が嵌合される嵌合係止部と、を備えている構成を有している。
この構成により、請求項４の作用に加え、以下のような作用を有する。
（１）棚板固定部保持部が、ボックス本体の両側板の間に渡設され棚板固定部の裏面に当接する当接支持部を有するので、当接支持部で棚板固定部全体を確実に支持することができ、棚板部にメダルやパチンコ玉等が入った箱等の重量のある荷物を載置することができる。
（２）棚板固定部保持部が、棚板固定部の嵌合凸部又は嵌合凹部が嵌合される嵌合係止部を備えているので、着脱式仕切り板の仕切り部や棚板部に左右方向や前後方向の外力が加わっても、着脱式仕切り板が回転したり、収納ボックスから抜け落ちたりすることがなく信頼性に優れる。
（３）棚板固定部保持部の当接支持部が、ボックス本体の両側板の間に渡設されているので、着脱式仕切り板を取外した際に、当接支持部を棚板として使用することができる。
【００１６】
ここで、嵌合係止部は棚板固定部の嵌合凸部又は嵌合凹部の形状、位置、個数に合わせて当接支持部に形成することができる。嵌合係止部は、嵌合凸部又は嵌合凹部が嵌合できるものであればよく、凹状や凸状或いは孔状に形成できる。
【００１７】
請求項６に記載の考案は、請求項４又は５に記載の仕切り板付き収納ボックスであって、前記ボックス本体の底板及び天板に前記着脱式仕切り板の前記仕切り部を嵌合する仕切り溝を備えている構成を有している。
この構成により、請求項４又は５の作用に加え、以下のような作用を有する。
（１）ボックス本体の底板及び天板に着脱式仕切り板の仕切り部を嵌合する仕切り溝を備えているので、棚板部の棚板固定部と合わせて着脱式仕切り板全体を確実に保持することができ、固定安定性に優れる。
（２）ボックス本体の底板及び天板に形成した仕切り溝に着脱式仕切り板の仕切り部を嵌合できるので、仕切り部の根元（ボックス本体）側をボックス本体の側板で保護することができ、左右方向の外力が加わった際の仕切り部の変形や破損の発生を低減できる。
【００１８】
ここで、棚板固定部保持部がボックス本体の前端面まで形設されている場合には、着脱式仕切り板の仕切り部と棚板固定部保持部が干渉しないように、棚板固定部保持部にボックス本体の底板及び天板と同様の仕切り溝を形成するか、仕切り部に切り欠き部を形成する。
【考案の効果】
【００１９】
以上のように、本考案の着脱式仕切り板及び仕切り板付き収納ボックスによれば、以下のような有利な効果が得られる。
請求項１に記載の考案によれば、以下のような効果を有する。
（１）別に固定手段を用意したり、特別な工具等を使用したりすることなく、棚板部の棚板固定部だけで、既存の収納ボックスに容易に着脱することができる装着性に優れた着脱式仕切り板を提供することができる。
（２）棚板部が棚板固定部により直接、収納ボックスに固定、保持されていることにより、メダルやパチンコ玉等が入った箱等の重量のある荷物でも棚板部で確実に支持することができる信頼性に優れた着脱式仕切り板を提供することができる。
（３）棚板部が収納ボックスの開口部から前面に突出する突出部を有するので、棚板部の面積を拡大することができると共に、突出部に載置した荷物等を手に取り易く使用性に優れた着脱式仕切り板を提供することができる。
（４）仕切り部により棚板部に載置した荷物等を隣接する遊技台を使用する遊技者等からガードでき、落下等を防止できると共に、隣接する遊技台を使用する遊技者等から覗かれるのを防止でき、落着いて遊技に集中することができる信頼性に優れた着脱式仕切り板を提供することができる。
（５）収納ボックスに着脱自在とすることにより、清掃やメンテナンスの際などに容易に取外すことができる実用性に優れた着脱式仕切り板を提供することができる。
【００２０】
請求項２に記載の考案によれば、請求項１の効果に加え、以下のような効果を有する。
（１）収納ボックスに形設された棚板固定部保持部に棚板固定部の嵌合凸部又は嵌合凹部を嵌合させるだけで棚板部を確実に保持することができ、着脱式仕切り板を固定することができる装着作業性、実用性に優れた着脱式仕切り板を提供することができる。
【００２１】
請求項３に記載の考案によれば、請求項１又は２の効果に加え、以下のような効果を有する。
（１）少なくとも仕切り部の端面に蛍光面を形成し、仕切り部の視認性を向上させることにより、遊技者が誤って仕切り部に接触するのを防止でき、遊技者の怪我や仕切り部の破損等の発生を低減できる安全性に優れた着脱式仕切り板を提供することができる。
【００２２】
請求項４に記載の考案によれば、以下のような効果を有する。
（１）収納ボックスのボックス本体に配設された棚板固定部保持部で着脱式仕切り板の棚板固定部を確実に保持することができるので、脱式仕切り板の固定安定性に優れると共に、清掃やメンテナンスの際などには容易に着脱式仕切り板を取外すことができる実用性、機能性に優れた仕切り板付き収納ボックスを提供することができる。
（２）着脱式仕切り板により、収納ボックスに収納した荷物を隣接する遊技台を使用する遊技者等からガードすることができると共に、顔や荷物等を直視されるのを防止でき、落着いて遊技に集中することができる実用性、安全性に優れた仕切り板付き収納ボックスを提供することができる。
【００２３】
請求項５に記載の考案によれば、請求項４の効果に加え、以下のような効果を有する。
（１）ボックス本体の両側板の間に渡設された当接支持部を棚板部の棚板固定部裏面に当接させることにより、棚板固定部全体を確実に支持することができるので、メダルやパチンコ玉等が入った箱等の重量のある荷物を棚板部に載置することができる信頼性に優れた仕切り板付き収納ボックスを提供することができる。
（２）棚板固定部の嵌合凸部又は嵌合凹部を棚板固定部保持部の嵌合係止部に嵌合することにより、棚板部を確実に保持することができ、着脱式仕切り板の仕切り部や棚板部に左右方向や前後方向の外力が加わっても、着脱式仕切り板が回転したり、収納ボックスから抜け落ちたりすることがない信頼性に優れた仕切り板付き収納ボックスを提供することができる。
（３）着脱式仕切り板を取外した際に、棚板固定部保持部の当接支持部を棚板として使用することができる実用性、機能性に優れた仕切り板付き収納ボックスを提供することができる。
【００２４】
請求項６に記載の考案によれば、請求項４又は５の効果に加え、以下のような効果を有する。
（１）ボックス本体の底板及び天板に形成された仕切り溝で仕切り部を嵌合することにより、棚板部の棚板固定部と合わせて着脱式仕切り板全体を確実に保持することができる固定安定性に優れた仕切り板付き収納ボックスを提供することができる。
（２）着脱式仕切り板の仕切り部を仕切り溝に嵌合し、仕切り部の根元（ボックス本体）側をボックス本体の側板で保護することができるので、左右方向の外力が加わった際の仕切り部の変形や破損の発生を低減できる耐久性、信頼性に優れた仕切り板付き収納ボックスを提供することができる。
【考案を実施するための最良の形態】
【００２５】
（実施の形態１）
以下、本考案の実施の形態１における着脱式仕切り板及び仕切り板付き収納ボックスについて、以下図面を参照しながら説明する。
図１は本考案の実施の形態１における着脱式仕切り板を示す斜視図である。
図１中、１は本考案の実施の形態１における着脱式仕切り板、２は着脱式仕切り板１の棚板部、２ａは既存の収納ボックスに着脱自在に保持される棚板部２の棚板固定部、２ｂは棚板固定部２ａに延設され収納ボックスの開口部から前面に突出する棚板部２の突出部、２ｃは棚板部２の端面、２ｄは棚板固定部２ａの裏面に形設された棚板部２の嵌合凸部、３は突出部２ｂの一側部に配設された着脱式仕切り板１の仕切り部、３ａは略円弧状に形成された仕切り部３の端面、３ｂは仕切り部３の上端側の隅部に形成された切り欠き部、３ｂ’は切り欠き部３ｂの切り欠き部上端である。
【００２６】
棚板部２及び仕切り部３は硬質で耐久性に優れるメタクリル樹脂で形成した。また、仕切り部３は着色して半透明とした。これにより、周囲からの視界を完全に遮ることがなく、不正行為が行われるのを防止できる。
また、棚板部２の端面２ｃ及び仕切り部３の端面３ａには蛍光塗料を塗布して蛍光面を形成した。これにより、棚板部２及び仕切り部３の視認性を向上させることができ、遊技者が誤って接触するのを防止できる。尚、蛍光面は蛍光塗料を塗布する代りに蛍光テープを貼着して形成してもよい。また、蛍光面は棚板部２の端面２ｃ及び仕切り部３の端面３ａの全周に渡って形成してもよいし、隅部等に部分的に形成してもよい。
突出部２ｂの隅部及び仕切り部３は円弧状に形成した。これにより、遊技者が誤って突出部２ｂや仕切り部３にぶつかったとしても怪我等をすることがなく安全性に優れる。尚、突出部２ｂや仕切り部３の隅部を面取りする代りに、端面に合成ゴム等の弾性を有する緩衝材を被着しても同様の効果が得られる。
【００２７】
以上のように構成された実施の形態１における着脱式仕切り板が取付けられる収納ボックスについて説明する。
図２は本考案の実施の形態１における着脱式仕切り板と収納ボックスを示す斜視図であり、図３は本考案の実施の形態１における仕切り板付き収納ボックスを示す斜視図である。
図２中、５は本考案の実施の形態１における着脱式仕切り板１が取付けられる収納ボックス、６は箱状に形成された収納ボックス５のボックス本体、７はボックス本体６の底板、７ａは底板７に形成され着脱式仕切り板１の仕切り部３の下端部が嵌合される仕切り溝、８ａ，８ｂは底板７の両側に立設されたボックス本体６の左右の側板、９はボックス本体６の背板、１０はボックス本体６の天板、１０ａは天板１０に形成され着脱式仕切り板１の仕切り部３の上端部が嵌合される仕切り溝、１１はボックス本体６に配設され着脱式仕切り板１の棚板固定部２ａを着脱自在に保持する収納ボックス５の棚板固定部保持部、１１ａはボックス本体６の両側板８ａ，８ｂの間に渡設され棚板固定部２ａの裏面に当接する棚板固定部保持部１１の当接支持部、１１ｂは当接支持部１１ａの後端とボックス本体６の背板９との隙間に形設され嵌合凸部２ｄが嵌合される棚板固定部保持部１１の嵌合係止部、１１ｃは着脱式仕切り板１の仕切り部３が嵌合される棚板固定部保持部１１の仕切り溝である。
【００２８】
以上のように構成された実施の形態１における着脱式仕切り板と収納ボックスの組立方法について説明する。
図２において、着脱式仕切り板１の棚板部２を収納ボックス５の棚板固定部保持部１１の上方からボックス本体６の内方にスライドさせるようにして挿通する。仕切り部３の根元（ボックス本体６）側を仕切り溝７ａ，１０ａ，１１ｃに嵌合させるようにしながら着脱式仕切り板１を下方に押し下げて嵌合凸部２ｄを棚板固定部保持部１１の嵌合係止部１１ｂに嵌合させる。このとき、仕切り部３の上端側の隅部に切り欠き部３ｂが形成されているので、仕切り部３の上端部とボックス本体６の天板１０が干渉することがなく、容易に組立作業を行なうことができる。
以上のようにして着脱式仕切り板１を収納ボックス５に取付けることにより、図３に示す仕切り板付き収納ボックス１５を得ることができる。
【００２９】
棚板部２の嵌合凸部２ｄが棚板固定部保持部１１の嵌合係止部１１ｂに嵌合され係止されるので、棚板固定部保持部１１で棚板部２を確実に保持することができ抜けを防止できる。
仕切り部３の収納ボックス５側の上端隅部に切り欠き部３ｂが形成されているので、着脱式仕切り板１の着脱時に、着脱式仕切り板１全体を上下方向に移動させ、棚板部２の嵌合凸部２ｄを棚板固定部保持部１１の嵌合係止部１１ｂに抜き差しする際に、収納ボックス５の天板１０や収納ボックス５を固定する外枠に仕切り部３の上端側が引っ掛るのを防止でき、着脱作業を容易に行うことができる。また、棚板部２の棚板固定部２ａ側が上方に浮き上がり着脱式仕切り板１全体が前方に傾倒しそうになった際に、切り欠き部上端３ｂ’が天板１０の下面に当接するように切り欠き部３ｂを形成しておけば、着脱式仕切り板１が転倒するのを確実に防止でき信頼性に優れる。
尚、ボックス本体６には着脱式仕切り板１の棚板部２以外にも棚板を設けることができる。
【００３０】
次に、実施の形態１における仕切り板付き収納ボックスの使用方法について説明する。
図４は本考案の実施の形態１における仕切り板付き収納ボックスの使用状態を示す斜視図である。
図４中、２０は実施の形態１における仕切り板付き収納ボックス１５を挟んで並設された複数のスロットマシンやパチンコ等の各種の遊技台である。
遊技者は獲得したメダルやパチンコ玉を入れる箱や飲み物、バック等の荷物を棚板部２に載置して遊技を行うことができる。このとき、仕切り部３により、隣接する遊技台２０を使用する遊技者等から覗かれるのを防止できる。また、棚板部２に載置した荷物等をガードすることができ、隣接する遊技台２０を使用する遊技者等の手が触れ難いので、荷物の落下や盗難等を防止でき遊技に集中できる。また、仕切り部３を棚板部２の左側に配設したので、遊技中で右手が塞がっていても左手で棚板部２に載置した荷物や飲み物等を手に取ることができ使用性に優れる。尚、左利きの人の為などに、仕切り部３は棚板部２の右側に配設してもよい。
着脱式仕切り板１が収納ボックス５に対して着脱自在に保持されているので、着脱式仕切り板１や収納ボックス５のボックス本体６、遊技台２０の清掃やメンテナンスを行う際には、着脱式仕切り板１を取外して容易に作業を行うことができる。特に、遊技台２０の前面を開放して内部のメンテナンス等を行う際に、着脱式仕切り板１を取外すことができるので、着脱式仕切り板１が邪魔にならず実用性、作業性に優れる。
【００３１】
実施の形態１の着脱式仕切り板は以上のように構成されているので以下の作用を有する。
（１）棚板部２に棚板固定部２ａを有するので、別に固定手段を用意する必要や特別な工具等を使用する必要がなく、既存の収納ボックスに容易に嵌め込み安定に固定できると共に、着脱することができる。
（２）棚板部２を有するので、遊技者が獲得したメダルやパチンコ玉を入れる箱や飲み物、バック等の荷物を置くことができる。
（３）棚板部２に棚板固定部２ａを有するので、メダルやパチンコ玉等が入った箱等の重量のある荷物でも棚板部２で確実に支持することができる。
（４）棚板部２が棚板固定部２ａに延設され収納ボックス５の開口部から前面に突出する突出部２ｂを有するので、棚板部２の面積を拡大することができると共に、突出部２ｂに載置した荷物等を手に取り易く使用性に優れる。
（５）突出部２ｂの一側部に仕切り部３が配設されているので、棚板部２に載置した荷物を仕切り部３でガードすると共に、落下等を防止できる。
（６）仕切り部３を有することにより、隣接する遊技台２０を使用する遊技者等から覗かれるのを防止でき、落着いて遊技に集中することができる。
（７）突出部２ｂの一側部に仕切り部３を配設することにより、棚板部２に載置した荷物等を隣接する遊技台２０を使用する遊技者等から保護することができ安全性に優れる。
（８）棚板部２が収納ボックス５に着脱自在に保持される棚板固定部２ａを有するので、清掃やメンテナンスの際などに容易に取外すことができ実用性に優れる。
（９）棚板部２が、棚板固定部２ａの裏面に形設された嵌合凸部２ｄを有するので、収納ボックス５に形設された棚板固定部保持部１１に嵌合凸部２ｄを嵌合させるだけで棚板部２を確実に保持することができ、着脱式仕切り板１を固定することができる。
（１０）少なくとも仕切り部３の端面３ａに形成された蛍光面を有することにより、仕切り部３の視認性を向上させることができるので、遊技者が誤って仕切り部３に接触するのを防止でき、遊技者の怪我や仕切り部３の破損等の発生を低減できる。
【００３２】
実施の形態１の仕切り板付き収納ボックスは以上のように構成されているので以下の作用を有する。
（１）収納ボックス５のボックス本体６に着脱式仕切り板１の棚板固定部２を着脱自在に保持する棚板固定部保持部１１が配設されているので、収納ボックス５に容易に着脱式仕切り板１を着脱することができる。
（２）着脱式仕切り板１を有することにより、収納ボックス５に収納した荷物を隣接する遊技台を使用する遊技者等からガードすることができると共に、顔や荷物等を直視されるのを防止できるので、落着いて遊技に集中することができる。
（３）棚板固定部保持部１１により着脱式仕切り板１を着脱自在に保持できるので、清掃やメンテナンスの際などに容易に着脱式仕切り板１を取外すことができ実用性に優れる。
（４）棚板固定部保持部１１が、ボックス本体６の両側板８ａ，８ｂの間に渡設され棚板固定部２ａの裏面に当接する当接支持部１１ａを有するので、当接支持部１１ａで棚板固定部２ａ全体を確実に支持することができ、棚板部２にメダルやパチンコ玉等が入った箱等の重量のある荷物を載置することができる。
（５）棚板固定部保持部１１が、棚板固定部２ａの嵌合凸部２ｄが嵌合される嵌合係止部１１ｂを備えているので、着脱式仕切り板１の仕切り部３や棚板部２に左右方向や前後方向の外力が加わっても、着脱式仕切り板１が回転したり、収納ボックス５から抜け落ちたりすることがなく信頼性に優れる。
（６）棚板固定部保持部１１の当接支持部１１ａが、ボックス本体６の両側板８ａ，８ｂの間に渡設されているので、着脱式仕切り板１を取外した際に、当接支持部１１ａを棚板として使用することができる。
（７）ボックス本体６の底板７及び天板１０並びに棚板固定部保持部１１に着脱式仕切り板１の仕切り部３を挟持する仕切り溝７ａ，１０ａ，１１ｃを備えているので、棚板部２の棚板固定部２ａと合わせて着脱式仕切り板１全体を確実に保持することができ、固定安定性に優れる。
（８）ボックス本体６の底板７及び天板１０並びに棚板固定部保持部１１に形成した仕切り溝７ａ，１０ａ，１１ｃに着脱式仕切り板１の仕切り部３を嵌合できるので、仕切り部３の根元（ボックス本体６）側をボックス本体６の側板８ａ，８ｂで保護することができ、左右方向の外力が加わった際の仕切り部３の変形や破損の発生を低減できる。
【００３３】
（実施の形態２）
以下、本考案の実施の形態２における着脱式仕切り板について、以下図面を参照しながら説明する。尚、実施の形態１と同様のものには同一の符号を付して説明を省略する。
図５は本考案の実施の形態２における着脱式仕切り板の棚板部及び収納ボックスを示す要部斜視図である。
本考案の実施の形態２における着脱式仕切り板の棚板部１２が実施の形態１と異なるのは、棚板固定部１２ａの裏面に複数の嵌合凹部１２ｄが形設されている点である。これにより、収納ボックス５ａのようにボックス本体６の側板８ａ，８ｂに形設された凸状の棚板固定部保持部１１ｄに嵌合凹部１２ｄを係止して固定できる。また、棚板固定部保持部１１ｄに嵌合凹部１２ｄが係止されているので、着脱式仕切り板全体を前方に傾倒させるような力が働いても固定が外れることがなく固定安定性に優れる。既存の収納ボックスに容易に装着することができ汎用性に優れる。
【００３４】
実施の形態２の着脱式仕切り板は以上のように構成されているので、実施の形態１の作用に加え、以下の作用を有する。
（１）棚板部１２が、棚板固定部１２ａの裏面に形設された嵌合凹部１２ｄを有するので、収納ボックス５ａに形設された凸状の棚板固定部保持部１１ｄに嵌合凹部１２ｄを嵌合させるだけで棚板部１２を確実に保持することができる。
【産業上の利用可能性】
【００３５】
本考案は、並設された複数のスロットマシンやパチンコ等の各種遊技台の間に配設された既存の収納ボックス等に容易に装着することができ、汎用性に優れ、清掃やメンテナンスの際などに容易に取外すことができ実用性に優れ、周囲からの視界を完全に遮ることがなく防犯上の視認性を確保でき、不正行為を防止でき信頼性に優れる着脱式仕切り板の提供、及び獲得したメダルやパチンコ玉を入れる箱や飲み物、バック等の荷物を置くためのスペースを確保することができ実用性、機能性に優れると共に、棚板上に載置した荷物を着脱式仕切り板でガードして落下等を防止できる信頼性に優れる仕切り板付き収納ボックスの提供をするができ、各種の遊技施設で好適に使用することができる。
【図面の簡単な説明】
【００３６】
【図１】本考案の実施の形態１における着脱式仕切り板を示す斜視図
【図２】本考案の実施の形態１における着脱式仕切り板と収納ボックスを示す斜視図
【図３】本考案の実施の形態１における仕切り板付き収納ボックスを示す斜視図
【図４】本考案の実施の形態１における仕切り板付き収納ボックスの使用状態を示す斜視図
【図５】本考案の実施の形態２における着脱式仕切り板の棚板部及び収納ボックスを示す要部斜視図
【符号の説明】
【００３７】
１  着脱式仕切り板
２，１２  棚板部
２ａ，１２ａ  棚板固定部
２ｂ  突出部
２ｃ  端面
２ｄ  嵌合凸部
３  仕切り部
３ａ  端面
３ｂ  切り欠き部
３ｂ’  切り欠き部上端
５，５ａ  収納ボックス
６  ボックス本体
７  底板
７ａ，１０ａ，１１ｃ  仕切り溝
８ａ，８ｂ  側板
９  背板
１０  天板
１１，１１ｄ  棚板固定部保持部
１１ａ  当接支持部
１１ｂ  嵌合係止部
１２ｄ  嵌合凹部
１５  仕切り板付き収納ボックス
２０  遊技台
【図１】
0003113170.tif 000003
【図２】
0003113170.tif 000004
【図３】
0003113170.tif 000005
【図４】
0003113170.tif 000006
【図５】
0003113170.tif 000007